(57)【要約】【課題】複数の被止着片を併設させて固定できるとともに、取付部に対する被止着片の止着強度を向上でき、しかも止着具が取付部から脱落することを防止しつつ、必要な被止着片のみを取付部から取り外すことが可能な止着具を提供する。【解決手段】ベース部１１と該ベース部１１から外方へ延びるアーム部１２とを有する弾性変形可能な樹脂製の弾性基板１０と、弾性基板１０のベース部１１の裏面側に固定した第１永久磁石２０と、弾性基板１０のアーム部１２の外端近傍部の裏面側に固定した第２永久磁石２１と、第２永久磁石２１の裏面側の磁極よりも正面側において、第２永久磁石２１よりも外方へ突出するアーム部１２の外端部に一体的に形成した操作部１３とを備えた。【選択図】図２
2010125771.tif 000002
【特許請求の範囲】
【請求項１】
ベース部と該ベース部から外方へ延びるアーム部とを有する弾性変形可能な樹脂製の弾性基板と、
前記弾性基板のベース部の裏面側に固定した第１永久磁石と、
前記弾性基板のアーム部の外端近傍部の裏面側に固定した第２永久磁石と、
前記第２永久磁石の裏面側の磁極よりも正面側において、第２永久磁石よりも外方へ突出するアーム部の外端部に一体的に形成した操作部と、
を備えたことを特徴とする止着具。
【請求項２】
前記第１永久磁石として、第２永久磁石よりも磁気吸着力の強いものを用いた請求項１記載の止着具。
【請求項３】
前記弾性基板を略平板状に形成し、前記両永久磁石を弾性基板の裏面側に突出状に設けた請求項１又は２記載の止着具。
【請求項４】
前記アーム部の途中部又は基部にアーム部の弾性変形を促進する変形促進部を形成した請求項１〜３のいずれか１項記載の止着具。
【請求項５】
前記変形促進部として、前記アーム部の裏面側にアーム部の幅方向に延びる溝部を形成した請求項４記載の止着具。
【請求項６】
前記弾性基板として、ベース部と、該ベース部から一側方へ延びる１つのアーム部とを有する、一文字状の弾性基板を用いた請求項１〜５のいずれか１項記載の止着具。
【請求項７】
前記弾性基板として、ベース部と、該ベース部から両側方へ延びる１対のアーム部とを有する、一文字状の弾性基板を用いた請求項１〜５のいずれか１項記載の止着具。
【請求項８】
前記弾性基板として、ベース部と、該ベース部から両側方へ角度を付けて延びる１対のアーム部とを有する、Ｖ字状の弾性基板を用いた請求項１〜５のいずれか１項記載の止着具。
【請求項９】
前記弾性基板として、ベース部と、該ベース部から四方へ延びる４つのアーム部とを有する、十文字状の弾性基板を用いた請求項１〜５のいずれか１項記載の止着具。
【請求項１０】
前記弾性基板として、一文字状のベース部と、該ベース部の両端部からそれと直交する両側方へそれぞれ延びる４つのアーム部とを有する、Ｈ字状の弾性基板を用いた請求項１〜５のいずれか１項記載の止着具。
【発明の詳細な説明】
【技術分野】
【０００１】
本発明は、ホワイトボードや冷蔵庫の側壁のようなスチール製の取付部に、永久磁石によりメモ用紙などの紙片を固定するのに好適に利用可能な止着具に関する。
【背景技術】
【０００２】
ホワイトボードや冷蔵庫の側壁のようなスチール製の取付部に、メモ用紙などの紙片やフィルムや薄手のシート等の被止着片を固定するための止着具として、可撓性を有するシートやフィルムの基材に、ボンド磁石からなるシート状の複数のマグネットを相互に間隔をあけて並設し、該マグネットとして取付部に直接的に吸着される第１マグネットと、被止着片を挟んで取付部に間接的に吸着される第２マグネットとを設け、第２マグネットに隣接させて基材の端部に第２マグネットを引き剥がすための操作部を形成したものが提案されている（例えば、特許文献１参照。）。
【０００３】
【特許文献１】特開２００３−２０５６９５号公報
【発明の開示】
【発明が解決しようとする課題】
【０００４】
前記特許文献１記載の止着具では、操作部が取付部に略隙間なく配置されていることから、操作部を指で摘み難く、止着具で固定した被止着片を取り外すため、操作部を摘んで第２マグネットを取付部から引き剥がす作業に手間取るという問題がある。また、一方の手の親指と人差し指で操作部を摘み、他方の手で被止着片を押さえながら、第２マグネットを取付部から引き剥がす必要があるので、操作部を摘む一方の手の力加減によっては、止着具全体が取付部から脱落してしまうことがあり、複数の被止着片を固定している場合には、取り外したい被止着片以外の被止着片も取付部から脱落してしまうという問題がある。更に、可撓性を有するシートやフィルムからなる基材にマグネットを固定している関係上、取付部に対する第１マグネットの吸着力は、基材の変形により第２マグネット側に殆ど作用しない。このため、被止着片は第２マグネットの吸着力のみで取付部に固定する必要があり、第１マグネットとの協働により被止着片をより固定できないものであった。
【０００５】
本発明の目的は、複数の被止着片を併設させて固定できるとともに、取付部に対する被止着片の止着強度を向上でき、しかも止着具が取付部から脱落することを防止しつつ、必要な被止着片のみを取付部から取り外すことが可能な止着具を提供することである。
【課題を解決するための手段】
【０００６】
本発明に係る止着具は、ベース部と該ベース部から外方へ延びるアーム部とを有する弾性変形可能な樹脂製の弾性基板と、前記弾性基板のベース部の裏面側に固定した第１永久磁石と、前記弾性基板のアーム部の外端近傍部の裏面側に固定した第２永久磁石と、前記第２永久磁石の裏面側の磁極よりも正面側において、第２永久磁石よりも外方へ突出するアーム部の外端部に一体的に形成した操作部とを備えたものである。
【０００７】
この止着具では、ホワイトボードや冷蔵庫の側壁のようなスチール製の取付部に対して、第１永久磁石を磁気的に吸着固定するとともに、第２永久磁石をメモ用紙などの紙片やフィルムや薄手のシート等の被止着片を挟んだ状態で取付部に磁気的に吸着固定して、被止着片を取付部に固定することになる。また、操作部によりアーム部を弾性変形させながら、第２永久磁石を取付部から離間させて、取付部に対して被止着片を取付けたり、取付部から被止着片を取り外したりすることになる。
【０００８】
より具体的には、止着具で被止着片を取付部に対して固定した状態で、第１永久磁石が取付部に直接的に強固に密着されるので、第２永久磁石と取付部間に被止着片を挟んでも、止着具を取付部に対して強固に固定できることになる。しかも、取付部に直接的に密着する第１永久磁石の大きな吸着力の一部が、弾性変形可能なアーム部を介して第２永久磁石側へ伝達されるので、第１永久磁石と第２永久磁石との協働により、被止着片を取付部に対して強固に固定できることになる。更に、被止着片を着脱するときには、第２永久磁石を取付部から離間させて、被止着片を着脱することになるが、止着具自体は第１永久磁石により取付部に吸着固定された状態に維持されるので、止着具全体が取付部から脱落することが防止される。しかも、操作部が第２永久磁石の裏面側の磁極よりも正面側、即ち取付部から離間した位置に配置されるとともに、弾性変形可能なアーム部を介してベース部に連設されるので、第２永久磁石を取付部から引き離す際には、例えば一方の手で被止着片を保持した状態で、他方の手で第２永久磁石を取付部から引き離すことになるが、このとき他方の手の親指でベース部を取付部側へ押し付けるとともに、人差し指を操作部に引っ掛けてアーム部を弾性変形させ、第２永久磁石を取付部から引き離すことができるので、一方の手で被止着片を保持した状態で、他方の手で止着具を操作して、被止着片を取付部に対して容易に着脱することができる。
【０００９】
ここで、前記第１永久磁石として、第２永久磁石よりも磁気吸着力の強いものを用いることも好ましい実施の形態である。この場合には、第１永久磁石を取付部に対してより強固に固定することが可能となり、取付部に対する被止着片の取付強度を高めることができるとともに、被止着片を取り外すときに、取付部から止着具が脱落することを一層効果的に防止できる。
【００１０】
前記弾性基板を略平板状に形成し、前記両永久磁石を弾性基板の裏面側に突出状に設けることも好ましい実施の形態である。このように構成すると、弾性基板の構成を複雑にすることなく、操作部と取付部間に隙間を形成し、止着具を取付面に取付けた状態で、操作部を指で容易に操作できるので好ましい。
【００１１】
前記アーム部の途中部又は基部にアーム部の弾性変形を促進する変形促進部を形成することも好ましい実施の形態である。被止着片を着脱する場合には、前述のようにアーム部の弾性変形させながら着脱することになるが、本発明のように変形促進部を形成すると、アーム部を弾性変形させるときの操作性を向上できるので好ましい。特に、前記変形促進部として、前記アーム部の裏面側にアーム部の幅方向に延びる溝部を形成すると、アーム部の正面を幅広な平坦面に構成して、アーム部の正面を文字や絵柄などをプリントしたり刻印したりするための表示面として有効活用し易くなるので好ましい。
【００１２】
弾性基板としては、ベース部と、該ベース部から一側方へ延びる１つのアーム部とを有する、一文字状の弾性基板を用いたり、ベース部と、該ベース部から両側方へ延びる１対のアーム部とを有する、一文字状の弾性基板を用いたり、ベース部と、該ベース部から両側方へ角度を付けて延びる１対のアーム部とを有する、Ｖ字状の弾性基板を用いたり、ベース部と、該ベース部から四方へ延びる４つのアーム部とを有する、十文字状の弾性基板を用いたり、一文字状のベース部と、該ベース部の両端部からそれと直交する両側方へそれぞれ延びる４つのアーム部とを有する、Ｈ字状の弾性基板を用いたりすることができる。複数のアーム部を形成する場合には、これら複数のアーム部の端部に固定した第２永久磁石により、複数の被止着片をそれぞれ併設させて固定できるとともに、これら複数の被止着片を個別に取り外すことができる。
【発明の効果】
【００１３】
本発明に係る止着具によれば、止着具で被止着片を取付部に対して固定した状態で、第１永久磁石が取付部に直接的に強固に密着されるので、第２永久磁石と取付部間に被止着片を挟んでも、止着具を取付部に対して強固に固定できることになる。しかも、取付部に直接的に密着する第１永久磁石の大きな吸着力の一部が、弾性変形可能なアーム部を介して第２永久磁石側へ伝達されるので、第１永久磁石と第２永久磁石との協働により、被止着片を取付部に対して強固に固定できることになる。更に、被止着片を着脱するときには、第２永久磁石を取付部から離間させて、被止着片を着脱することになるが、止着具自体は第１永久磁石により取付部に吸着固定された状態に維持されるので、止着具全体が取付部から脱落することが防止される。しかも、操作部が第２永久磁石の裏面側の磁極よりも正面側、即ち取付部から離間した位置に配置されるとともに、弾性変形可能なアーム部を介してベース部に連設されるので、第２永久磁石を取付部から引き離す際には、例えば一方の手で被止着片を保持した状態で、他方の手で第２永久磁石を取付部から引き離すことになるが、このとき他方の手の親指でベース部を取付部側へ押し付けるとともに、人差し指を操作部に引っ掛けてアーム部１２を弾性変形させ、第２永久磁石を取付部から引き離すことができるので、一方の手で被止着片を保持した状態で、他方の手で止着具を操作して、被止着片を取付部に対して容易に着脱することができる。
【発明を実施するための最良の形態】
【００１４】
以下、本発明の実施例について図面を参照しながら説明する。
図１〜図４に示すように、止着具１は、ベース部１１と該ベース部１１から外方へ延びるアーム部１２とを有する弾性変形可能な樹脂製の弾性基板１０と、弾性基板１０のベース部１１の裏面側に固定した第１永久磁石２０と、弾性基板１０のアーム部１２の外端近傍部の裏面側に固定した第２永久磁石２１と、第２永久磁石２１の裏面側の磁極よりも正面側において、第２永久磁石２１よりも外方へ突出するアーム部１２の外端部に一体的に形成した操作部１３とを備えたものである。この止着具１は、図１、図４に示すように、ホワイトボードや冷蔵庫の側壁のようなスチール製の取付部Ｗに対して、第１永久磁石２０を磁気的に吸着固定するとともに、メモ用紙などの紙片やフィルムや薄手のシート等の被止着片Ｐを挟んだ状態で、第２永久磁石２１を取付部Ｗに磁気的に吸着固定して、被止着片Ｐを取付部Ｗに固定することになる。また、被止着片Ｐを取付部Ｗから取り外すときは、操作部１３によりアーム部１２を弾性変形させながら、第２永久磁石２１を取付部Ｗから引き離す方向へ操作して、取付部Ｗから被止着片Ｐを取り外すことになる。
【００１５】
弾性基板１０は、ポリエチレン、ポリエステル、ポリプロピレン、ナイロンなど、バネ弾性を有する任意の合成樹脂材料で構成できる。弾性基板１０のベース部１１には四方へ延びる４本のアーム部１２が一体的に設けられ、ベース部１１と４本のアーム部１２とは同一平面内に配置され、弾性基板１０は正面視十文字状に形成されている。アーム部１２の幅及び厚さは、一方の手の指でアーム部１２を弾性変形可能な、任意の幅及び厚さに設定されている。ベース部１１の裏面側には第１永久磁石２０を保持するための第１筒部１４が一体的に突出形成され、第１永久磁石２０は、一方の磁極を外部に露出させて第１筒部１４に内嵌固定されている。アーム部１２の外端近傍部の裏面側には第２永久磁石２１を保持するための第２筒部１５が一体的に突出形成され、第２永久磁石２１は、一方の磁極を外部に露出させて第２筒部１５に内嵌固定されている。なお、本実施の形態では、裏面側の筒部１４、１５の端面と永久磁石２０、２１の外部に露出する一方の磁極とを略同一平面内に配置させたが、永久磁石２０、２１の一方の磁極が筒部１４、１５の端面よりも外方へ突出するように、筒部１４、１５内に内嵌固定することも可能である。また、第２永久磁石２１の一方の磁極を第１永久磁石２０の一方の磁極よりも外方へ突出させ、両永久磁石２０、２１を取付部Ｗに密着させて止着具１を固定した状態で、アーム部１２の弾性変形により第１永久磁石２０の吸着力が第２永久磁石２１側に作用して、被止着片Ｐを強固に取付部Ｗに固定できるように構成することも好ましい。
【００１６】
第２筒部１５よりも外側においてアーム部１２の外端部には操作部１３が形成され、この操作部１３は第２永久磁石２１の外部に露出する磁極よりも正面側に配置され、止着具１を取付部Ｗに取り付けた状態で、取付部Ｗと操作部１３間に一定の隙間が形成されて、操作部１３を指で引っ掛けて、アーム部１２を取付部Ｗから引き離す方向へ変形操作できるように構成されている。なお、本実施の形態では、アーム部１２及びベース部１１を操作部１３と同一平面内に配置させたが、アーム部１２及びベース部１１は、止着具１を取付部Ｗに取り付けた状態で、取付部Ｗに略隙間なく配置され、操作部１３のみが取付部Ｗから離間するように構成することも可能である。
【００１７】
第１永久磁石２０及び第２永久磁石２１としては、アルニコ磁石、フェライト磁石、鉄・クロム・コバルト磁石、マンガン・アルミニウム・カーボン磁石、希土類磁石、ボンド磁石な任意の素材からなる永久磁石を採用できる。また、両永久磁石の形状は、本実施例では円柱状に形成したが、立方体や直方体などの多角柱状に形成することも可能である。更に、第１永久磁石２０及び第２永久磁石２１としては、同種の素材からなるものを採用することもできるし、異種素材からなるものを採用することもできる。
【００１８】
取付部Ｗに直接的に密着される第１永久磁石２０の磁気吸着力を第２永久磁石２１よりも高めて、止着具１が取付部Ｗから脱落しないように構成することも好ましい。また、磁気吸着力を高める方法としては、単位面積あたりの磁力線の多い磁石を採用することもできるが、製作コストを極力安くするため、第１永久磁石２０として第２永久磁石２１よりも大型なものを採用して、磁気吸着力を大きく設定することが好ましい。更に、両永久磁石２０、２１にヨークを併用させることも可能である。例えば、有底円筒状のヨークを用い、永久磁石２０、２１の一方の磁極をこのヨークの奥端面に密着させて、ヨーク内に永久磁石２０、２１を固定することができる。
【００１９】
弾性基板１０の正面には文字や絵柄などが直接的にプリントしたり刻印したりした図示外の表示面が形成することができる。但し、文字や絵柄をプリントしたシートやフィルムを弾性基板１０に貼り付けて、表示面を形成することもできるし、加熱により収縮するフィルムに文字や絵柄をプリントして筒状に形成し、これを弾性基板１０に外装させた状態でフィルムを熱収縮させて、弾性基板１０にフィルムを一体的に外装することによって、文字や絵柄を形成した表示面を設けることもできる。プリントしたり刻印したりする文字や絵柄は、止着具１の使用目的などに応じて任意に設定可能で、例えば販促商品として用いる場合には商品広告をプリントしたり刻印した表示面を設け、子供向けの文具として用いる場合には、各種アニメーションのキャラクター等をプリントしたり刻印した表示面を設けることができる。
【００２０】
この止着具１では、ホワイトボードや冷蔵庫の側壁のようなスチール製の取付部Ｗに対して、第１永久磁石２０を磁気的に吸着固定するとともに、第２永久磁石２１をメモ用紙などの紙片やフィルムや薄手のシート等の被止着片Ｐを挟んだ状態で取付部Ｗに磁気的に吸着固定して、被止着片Ｐを取付部Ｗに固定することになる。また、被止着片Ｐを取付部Ｗから取り外すときは、操作部１３を操作して、アーム部１２を弾性変形させながら、第２永久磁石２１を取付部Ｗから引き離し、取付部Ｗから被止着片Ｐを取り外すことになる。
【００２１】
より具体的には、止着具１で被止着片Ｐを取付部Ｗに対して固定した状態で、第１永久磁石２０が取付部Ｗに直接的に強固に密着されるので、第２永久磁石２１と取付部Ｗ間に被止着片Ｐを挟んでも、止着具１を取付部Ｗに対して強固に固定できることになる。しかも、取付部Ｗに直接的に密着する第１永久磁石２０の大きな吸着力の一部が、弾性変形可能なアーム部１２を介して第２永久磁石２１側へ伝達されるので、第１永久磁石２０と第２永久磁石２１との協働により、被止着片Ｐを取付部Ｗに対して強固に固定できることになる。更に、被止着片Ｐを着脱するときには、第２永久磁石２１を取付部Ｗから離間させて、被止着片Ｐを着脱することになるが、止着具１自体は第１永久磁石２０と、弾性変形させるアーム部１２以外のアーム部１２の３つの第２永久磁石２１により取付部Ｗに吸着固定された状態に維持されるので、止着具１全体が取付部Ｗから脱落することが防止され、複数の被止着片Ｐを個別に着脱することができる。しかも、操作部１３が第２永久磁石２１の裏面側の磁極よりも正面側、即ち取付部Ｗから離間した位置に配置されるとともに、弾性変形可能なアーム部１２を介してベース部１１に連設されるので、第２永久磁石２１を取付部Ｗから引き離す際には、例えば一方の手で被止着片Ｐを保持した状態で、他方の手で第２永久磁石２１を取付部Ｗから引き離すことになるが、このとき他方の手の親指でベース部１１を取付部側へ押し付けるとともに、人差し指を操作部１３に引っ掛けてアーム部１２を弾性変形させ、第２永久磁石２１を取付部Ｗから引き離すことができるので、一方の手で被止着片Ｐを保持した状態で、他方の手で止着具１を操作して、被止着片Ｐを取付部Ｗに対して容易に着脱することができる。
【００２２】
次に、前記止着具１の構成を部分的に変更した他の実施の形態について説明する。尚、前記弾性基板１０と同一部材には同一符号を付してその詳細な説明を省略する。
（１）図５に示す止着具１Ａのように、ベース部１１Ａと、該ベース部１１Ａから一側方へ延びる１つのアーム部１２とを有する、一文字状の弾性基板１０Ａを用いることができる。この止着具１Ａで被止着片Ｐを固定する場合には、ベース部１１Ａの裏面側に取り付けた第１永久磁石２０を取付部Ｗに磁気的に吸着固定し、被止着片Ｐを挟んで、アーム部１２の外端部の裏面側に固定した第２永久磁石２１を取付部Ｗに吸着固定することになる。また、この止着具１Ａにおいても、例えばベース部１１Ａを親指で取付部Ｗ側に押し付けながら、人差し指を操作部１３に引っ掛けて、止着具１Ａが取付部Ｗから脱落しないように、アーム部１２を弾性変形させながら被止着片Ｐを取り外すことができる。
【００２３】
（２）図６に示す止着具１Ｂのように、ベース部１１Ｂと、該ベース部１１Ｂから一側方へ延びる１つのアーム部１２とを有する、一文字状の弾性基板１０Ｂを用いることができる。この止着具１Ｂで被止着片Ｐを固定する場合には、ベース部１１Ｂの裏面側に取り付けた第１永久磁石２０を取付部Ｗに磁気的に吸着固定し、被止着片Ｐを挟んで、アーム部１２の外端部の裏面側に固定した第２永久磁石２１を取付部Ｗに吸着固定することになる。また、この止着具１Ｂにおいても、例えばベース部１１Ｂを親指で取付部Ｗ側に押し付けながら、人差し指を操作部１３に引っ掛けて、止着具１Ｂが取付部Ｗから脱落しないように、アーム部１２を弾性変形させながら被止着片Ｐを取り外すことができる。
【００２４】
（３）図７に示す止着具１Ｃのように、ベース部１１Ｃと、該ベース部１１Ｃから両側方へ角度を付けて延びる１対のアーム部１２とを有する、Ｖ字状の弾性基板１０Ｃを用いることができる。この止着具１Ｃで被止着片Ｐを固定する場合には、ベース部１１Ｃの裏面側に取り付けた第１永久磁石２０を取付部Ｗに磁気的に吸着固定し、被止着片Ｐを挟んで、アーム部１２の外端部の裏面側に固定した第２永久磁石２１を取付部Ｗに吸着固定することになる。また、この止着具１Ｃにおいても、例えばベース部１１Ｃを親指で取付部Ｗ側に押し付けながら、人差し指を操作部１３に引っ掛けて、止着具１Ｃが取付部Ｗから脱落しないように、アーム部１２を弾性変形させながら被止着片Ｐを取り外すことができる。
【００２５】
（４）図８に示す止着具１Ｄのように、一文字状のベース部１１Ｄと、該ベース部１１Ｄの両端部からそれと直交する両側方へそれぞれ延びる４つのアーム部１２とを有する、Ｈ字状の弾性基板１０Ｄを用いることができる。この止着具１Ｄで被止着片Ｐを固定する場合には、ベース部１１Ｄの裏面側に取り付けた第１永久磁石２０を取付部Ｗに磁気的に吸着固定し、被止着片Ｐを挟んで、アーム部１２の外端部の裏面側に固定した第２永久磁石２１を取付部Ｗに吸着固定することになる。また、この止着具１Ｄにおいても、例えばベース部１１Ｄを親指で取付部Ｗ側に押し付けながら、人差し指を操作部１３に引っ掛けて、止着具１Ｄが取付部Ｗから脱落しないように、アーム部１２を弾性変形させながら被止着片Ｐを取り外すことができる。
【００２６】
（５）図９に示す止着具１Ｅの弾性基板１０Ｅにおけるアーム部１２Ｅのように、アーム部１２Ｅの基部の裏面側に、全幅にわたって延びる溝部からなる変形促進部１２Ｅａを形成したり、図１０に示す止着具１Ｆの弾性基板１０Ｆにおけるアーム部１２Ｆのように、アーム部１２Ｆの長さ方向の途中部に、幅狭部からなる変形促進部１２Ｆａを形成したりすることも可能である。この場合には、変形促進部１２Ｅａ、１２Ｆａを中心としてアーム部１２Ｅ、１２Ｆの弾性変形が促進されるので、被止着片Ｐを取り外すときの操作性を向上できる。また、弾性基板１０Ｅでは、アーム部１２Ｅの正面が幅広な平坦面に構成されるので、該アーム部１２Ｅの正面を、文字や絵柄などをプリントしたり刻印したりするための表示面として有効活用することができる。尚、変形促進部１２Ｅａとしては、図９に示すようなＶ字状の溝部以外に、Ｕ溝や角溝などの溝部を形成することができる。また、変形促進部１２Ｆａとしては、図１０に示すように、アーム部１２Ｆの幅を連続的に幅狭に構成することもできるし、段階的に幅狭に構成することもできる。また、アーム部１２Ｆの基部に幅方向の両側から中央部側へ延びるスリットを形成して、両スリット間の幅狭部を変形促進部として用いることもできる。更に、変形促進部としては、アーム部の基部や途中部に１乃至複数の波部からなる波形部を幅方向に形成したり、アーム部の基部や途中部に１乃至複数の貫通孔を幅方向の途中部に形成したりして、これを変形促進部として活用することも可能である。尚、これらの変形促進部は、前記止着具１Ａ〜１Ｄのアーム部１２に対しても同様に設けることができる。
【図面の簡単な説明】
【００２７】
【図１】止着具の使用状態の斜視図
【図２】止着具の裏面側からの斜視図
【図３】止着具の裏面図
【図４】図１のIV-IV線断面図
【図５】他の構成の止着具の裏面側からの斜視図
【図６】他の構成の止着具の裏面側からの斜視図
【図７】他の構成の止着具の裏面側からの斜視図
【図８】他の構成の止着具の裏面側からの斜視図
【図９】他の構成の止着具の裏面側からの斜視図
【図１０】他の構成の止着具の裏面側からの斜視図
【符号の説明】
【００２８】
Ｐ      被止着片            Ｗ      取付部
１      止着具              １０    弾性基板
１１    ベース部            １２    アーム部
１３    操作部              １４    第１筒部
１５    第２筒部
２０    第１永久磁石        ２１    第２永久磁石
１Ａ    止着具              １０Ａ  弾性基板
１１Ａ  ベース部
１Ｂ    止着具              １０Ｂ  弾性基板
１１Ｂ  ベース部
１Ｃ    止着具              １０Ｃ  弾性基板
１１Ｃ  ベース部
１Ｄ    止着具              １０Ｄ  弾性基板
１１Ｄ  ベース部
１Ｅ    止着具              １０Ｅ    弾性基板
１２Ｅ  ベース部            １２Ｅａ  変形促進部
１Ｆ    止着具              １０Ｆ    弾性基板
１２Ｆ  ベース部            １２Ｆａ  変形促進部
【図１】
2010125771.tif 000003
【図２】
2010125771.tif 000004
【図３】
2010125771.tif 000005
【図４】
2010125771.tif 000006
【図５】
2010125771.tif 000007
【図６】
2010125771.tif 000008
【図７】
2010125771.tif 000009
【図８】
2010125771.tif 000010
【図９】
2010125771.tif 000011
【図１０】
2010125771.tif 000012